(57)【要約】【課題】  六角ボルト頭、ナットに装着カバーを確実にブラインドリベットあるいはドライブリベットで六角ボルト頭、ナットに固定でき、作業工具では外せない防犯ネジ機構を提供する。【解決手段】  六角ボルト頭部分を構成する六角部材に、ドライブリベットあるいはブラインドリベットの先端部挿入できる穴をあけ、更に、リベット挿入穴径の一部を残し、反対側から六角穴付き止めネジや寸切りネジを装着できるよう指定されたネジピッチを切り、リベット先端挿入穴との間の一部をネジ下穴径で残し、六角穴付き止めネジを固定装着し、リベット先端部が六角ボルト頭内で開くような空間部を形成した特殊六角ボルトにリベットの先端部が貫通できる穴をあけた装着カバーを被せ、リベットを挿入し、ドライブリベットのピンを叩くか、あるいはブラインドリベットのシャフトを引くことで、特殊六角ボルト頭内の空間部でリベット先端部が広がり、ボルト頭から装着カバーが外れないようにした防犯ネジ。【選択図】図１
2008002676.tif 000002
【特許請求の範囲】
【請求項１】
六角ボルト頭部分を構成する六角形部材にドライブリベットあるいはブラインドリベットのリベット先端部分が挿入できる穴をあけ、その穴径の一部の長さを残し、反対側から六角穴付き止めネジや寸切りネジ等が装着できるように、指定されたネジピッチを切り、リベット先端挿入穴との間の一部をネジ下穴径で残し、それに六角穴付き止めネジ等を装着固定し、リベット先端部を広げる事が可能な空間部を形成した特殊六角ボルトと、特殊六角ボルトのボルト頭部分に被せる装着カバーとで構成し、リベット先端部分が貫通できる穴をあけた装着カバーを特殊ボルト頭に被せ、リベットを挿入し、ドライブリベットのピンを叩くか、あるいはブラインドリベットのシャフトをハンドリベッター等で引き抜き、特殊ボルト頭内の空間部で、リベット先端部が広がる事で、特殊六角ボルト頭から装着カバーが外れないようにした防犯ネジ。
【請求項２】
六角ボルト頭の内部を、ドライブリベットあるいはブラインドリベットの先端部を広げる事が可能な、空間を形成できる穴をあけ、その穴の上部部分にリベット先端部が挿入できる穴をあけた蓋を溶接あるいは接着剤等で固定し、ボルト頭に装着カバーを装着し、リベット挿入穴からドライブリベットあるいはブラインドリベットを挿入させ、ドライブリベットのピンを叩くか、あるいはブラインドリベットのシャフトを引き抜き、ボルト頭内に形成した空間内でリベットの先端部を広げ、六角ボルト頭から装着カバーが外れないようにした防犯ネジ。
【請求項３】
長ナットにドライブリベットあるいはブラインドリベットの先端部が挿入できる穴をあけた蓋を、溶接あるいは接着剤等で固定した蓋付き長ナットに、装着カバーを装着し装着カバーが蓋付き長ナットに、リベットで固定され外れないようにした、請求項１、請求項２に記載された防犯ネジのボルト頭と蓋付き長ナット両側に装着カバーをドライブリベットあるいはブラインドリベットで固定できるようにした特殊六角ボルト頭、蓋付き長ナットの両側に装着カバーが装着固定できる防犯ネジ。
【請求項４】
タッピンネジや木ネジ等のネジ部と請求項１に記載された六角ボルト頭部分が装着固定できるよう、装着用ネジを切ったタッピンネジや木ネジ等に六角ボルト頭部分を溶接、接着固定し、装着カバーを被せ、ドライブリベットあるいはブラインドリベットで装着カバーを固定し、作業工具等で外せないようにした防犯ネジ。
【請求項５】
装着カバーはリベット頭が沈み込めるように、装着カバーのリベット装着穴の上部をリベット頭外径より少し広げ、リベット頭が装着カバーから飛び出ない事を特徴とした請求項１、請求項２、請求項３、請求項４に記載された防犯ネジ。
【請求項６】
装着カバーは切削加工で製造された請求項１、請求項２、請求項３、請求項４に記載された防犯ネジ用装着カバー。
【請求項７】
装着カバーはプレス加工で製造された請求項１、請求項２、請求項３、請求項４に記載された防犯ネジ用装着カバー。
【請求項８】
装着カバーはダイキャスト加工で製造された請求項１、請求項２、請求項３、請求項４に記載された防犯ネジ用装着カバー。
【請求項９】
装着カバーはパイプをカットし、パイプ外径と同等外径の円形蓋を作り、リベット頭外径より少し大きめの穴をあけ、リベット頭外径より大きな円形板に、リベット先端部が貫通できる穴をあけ、円形蓋の下側に溶接、接着材で固定した円形蓋をパイプに溶接、接着をした、請求項１、請求項２、請求項３，請求項４に記載された防犯ネジ用装着カバー。
【発明の詳細な説明】
【技術分野】
【０００１】  本発明はボルト、ナットが作業工具では外せないようにした、イタズラや盗難を未然に防ぐ事を目的とした防犯用特殊ボルト、特殊長ナットに関するものである。
【背景技術】
【０００２】  従来、ネジは簡単に締め、緩める事の利便性が重要視され、この利便性ゆえにネジは工作機械から日常用品等の殆どの製品、商品に使用、利用され、ネジがなければ生活が成り立たないと言っても決して過言ではない。【０００３】  しかし、複雑な社会情勢になってきた昨今では、簡単にネジを緩めたり、外したりできることが、逆にイタズラや窃盗、凶悪犯罪に利用されるようになった。安全であるべき児童公園の遊戯具のネジが外され子供が大怪我をしたり、公園の備品が何者かに持ち去られたり、歩道の手摺り等のネジが外され危険な状態であったり、鉄塔が倒されたり等のイタズラから、橋梁のアルミ製の高欄が一晩のうちに持ち去られ、高級外車やＲＶ車等の窃盗や、盗難車輌の何倍ものナンバープレートが盗まれ、盗難車輌のナンバープレートを付け替える事で、盗難車輌の発見を遅らせたり、さらに凶悪な二次犯罪に利用されている。【０００４】  そこで特殊工具を利用したイタズラ防止ネジが出現してきた。コンピューターのハードディスクや電化製品のブラックボックス等のネジやイタズラ防止に利用されてきたが、特殊ネジ用の工具が市場で簡単に購入できるようになりイタズラ防止や盗難防止の効果が薄れてきた。【０００５】  ボルト、ナットにアルミ製のカバーをカシメで固定する方法は電力会社の鉄塔等に利用されているが、アルミのカバーをカシメで固定した場合、強力に固定する事ができず、マイナスドライバー等で簡単にカバーを外す事が可能である。【０００６】  大型の六角ボルト頭にネジを切り、プラスチック製のカバーを六角ボルトで固定する方法もあるが、これもレンチで簡単に外す事ができる。【０００７】  ２、３年前に神戸市の公園の滑り台のネジが外され、児童が大怪我をした事件が発生した。その対策に神戸市は遊戯具のネジを溶接で固定した。
【発明の開示】
【発明が解決しようとする課題】
【０００８】  上記のような従来技術の問題点を解決する事を意図して、防犯ネジを固定する作業工程では特殊レンチ等、特別な工具を使用するのではなく、本発明は、ネジの取り付け作業は通常の作業工具で行い、ネジを外す場合は従来の作業工具では外すことのできないネジを提供することを課題とする。
【課題を解決するための手段】
【０００９】  本発明は、特殊加工した六角ボルト頭や長ナットに直接、作業工具でトルクを伝えられないように、金属製のカバーをドライブリベットあるいはブラインドリベットで特殊六角ボルト頭、蓋付き長ナットに固定する事を最も主要な特徴とする。
【発明の効果】
【００１０】  本発明に係る防犯ネジは特殊六角ボルト頭内、蓋付き長ナット内で、リベット先端部が広がる空間を形成する製造法を確立した事で、ドライブリベットあるいはブラインドリベットで特殊六角ボルト頭、蓋付き長ナットに装着カバーを取り付け、作業工具で六角頭、ナットにトルクを伝えられないように構成した。この特殊六角ボルト、蓋付き長ナットは、ともに比較的簡単な製造方法で製造可能で、多品種の特殊六角ボルト、蓋付き長ナットを安価に提供できる。【００１１】  特殊六角ボルト頭、蓋付き長ナットに装着カバーをドライブリベットやブラインドリベットで固定することで、スパナ、メガネレンチ、パイプレンチ、プライヤー等の作業工具では外す事ができず、電動ドリル、グライダー等の電動工具でリベットの頭を破壊して装着カバーを外す為に、取り外し作業に時間がかかり、防犯効果は確実に上がると想定される。玄関の鍵を一カ所から二カ所に増やすだけで、防犯効果があることは衆知の事実である。
【発明を実施するための最良の形態】
【００１２】  この発明の実施の形態を図面を参照しながら以下に説明する。図１及び図２は、この発明の１実施形態を示し、図１は車輌のナンバープレート４を固定金具５に特殊六角ボルトで固定し、装着カバー１を被せ特殊六角ボルト９にリベット２で固定した実施例の側面図で、図２は図１の断面図である。【００１３】  装着カバー１と六角ボルト頭６とをリベット２により、固定されることにより、六角ボルト頭６は装着カバー１で包まれ六角ボルト頭６にトルクを伝える事ができない。六角ボルト頭６の内部にはネジピッチ８を途中まで切り、六角穴付き止めネジ３は切られたネジピッチ８より奥に進む事ができず、六角ボルト頭６の内部には六角穴付き止めネジ３との間に空間を作り、リベット２が六角ボルト頭６内部で広がり、リベット２の先端部が六角頭内部で広がる事を可能にしたことで、装着カバー１と六角ボルト頭６をリベット２で固定でき、従来のカバー固定方法に比べ、より強力に固定できる。【００１４】  このように本発明の防犯ネジは、Ｍ６サイズの防犯ネジ用としてのブラインドリベットのリベット先端部の外径３．２ミリのステンレス製の場合、引張り強度は２８４ｋｇｆとされており、人力でリベット２を外す事は極めて困難で、電動工具でリベット頭を破壊しカバーを外さないかぎり、ボルト、ナットを外す事ができない。
【実施例】
【００１５】  実施例を揚げて本発明を更に詳しく説明をするが、本発明はこれらの実施例にのみ限定されるものではない。図１は特殊六角ボルト９でナンバープレート４を固定金具５に固定し、装着カバー１を六角ボルト頭６に被せ、リベット２で固定した実施例１である。【００１６】  図２は図１の断面図でリベット２で装着カバー１と六角ボルト頭６をリベット２で固定した構造を示し、六角ボルト頭６と六角穴付き止めネジ３との内部形状を示す。【００１７】  図３と図４は六角ボルト頭６の側面図と断面図である。リベット挿入穴７とネジピッチ８の形状を示す。【００１８】  図５は特殊六角ボルト９の実施例１の側面図で六角ボルト頭６と六角穴付き止めネジ３を組立、溶接、接着剤等で固定した特殊六角ボルト９の実施例１である。【００１９】  図６は特殊六角ボルト９の実施例２の側面図で、図７は図６の断面図である。ボルトは多くのサイズがあり、多くのサイズに対応すべき、製造実施例で六角ボルト頭にリベット先端部が広げるための穴をあけ、リベット挿入穴７を設けた蓋１０で穴を塞いだ特殊六角ボルト９の実施例２の図で、リベット２で装着カバー１が固定できる特殊六角ボルト９の製法実施例２である。【００２０】  図８は木ネジ１２、タッピンネジ１２に装着カバー１が取り付けられるよう六角ボルト頭６を取り付けた側面図である。図９は図８の断面図で木ネジ１２にタップ８を切った六角ボルト頭６を装着した特殊六角頭木ネジの製法実施例３である。【００２１】  図１０は蓋付き長ナット１３の側面図で、図１１は図１０の断面図で蓋付き長ナット１３にリベット２が挿入できるリベット挿入穴７をあけた蓋１０を長ナットに溶接、接着剤等で固定し、六角ボルト頭６に装着カバー１をリベット２で固定し、特殊六角ボルト９のネジ先端部部に蓋付き長ナット１３を取り付け、装着カバー１をリベット２で固定した特殊六角ボルト頭、蓋付き長ナット画側に装着カバー１をリベット２で固定できるようにし、ナット、ボルト頭の両側に装着カバー１を固定できるようにした実施例４である。【００２２】  図１２は装着カバー１の側面図で、図１３は図１２の断面図でリベット２の頭を沈み込ませることでリベット２をニッパー等で切断や簡単に破壊できないようにした、リベット保護穴１４の形状である。
【産業上の利用可能性】
【００２３】  最近、犯罪が凶悪化しており、何百キロもある金庫が持ち去られたり、盗難車が激増しており、逃亡目的や摘発を逃れるために盗難車のナンバープレートを付け替えるために、盗難車の何倍ものナンバープレートが盗まれており、ナンバープレートの盗難対策に、警察も対策に苦慮しているのが現状である。【００２４】  近年、アルミ製の門扉が盗難にあったり、橋梁のアルミ製の高欄が盗まれたり、屋外の設備、施設がイタズラや盗難目的でネジを外される事件が多く発生しており、本発明はこうした対策に、安価で、簡単な作業で取り付け、電動工具を使用しなければ外れないネジの提供で産業上の利用可能性、効果はきわめて高いと想定できる。
【図面の簡単な説明】
【００２５】
【図１】特殊六角ボルト頭に装着カバーをドライブリベットあるいはブラインドリベットで固定した説明図である。（実施例１）
【図２】図１の断面説明図。
【図３】六角ボルト頭の側面図で特殊六角ボルトの実施例１の部品図。
【図４】図３の断面図で六角ボルト頭の製造実施例１の説明図。
【図５】図３の六角ボルト頭に六角穴付き止めネジを装着固定した特殊六角ボルトの側面図。（実施例１）
【図６】特殊六角ボルトの側面図であり、六角ボルト頭にリベット先端部が広がる事ができる空間を保持できる穴をあけ、リベット挿入穴をあけた蓋を溶接、接着した説明図。（実施例２）
【図７】図６の特殊六角ボルトの断面説明図。
【図８】木ネジ、タッピンネジに図３の六角ボルト頭を装着固定用ネジ部に固定した側面図。（実施例３）
【図９】図８の断面説明図。
【図１０】蓋付き長ナットの側面図。（実施例４）
【図１１】図１０の断面説明図。
【図１２】装着カバーの側面図。
【図１３】図１２の断面説明図。
【符号の説明】
【００２６】１    装着カバー２    ドライブリベット（ブラインドリベット）３    六角穴付き止めネジ（寸切りネジ）４    固定物（例、ナンバープレート）５    固定金具６    六角ボルト頭７    リベット挿入穴８    ネジピッチ９    特殊六角ボルト１０  リベット挿入穴付き蓋１１  リベット先端用空間１２  木ネジ、タッピンネジ部１３  蓋付き長ナット１４  リベット保護穴１５  特殊六角頭木ネジ
【図１】
2008002676.tif 000003
【図２】
2008002676.tif 000004
【図３】
2008002676.tif 000005
【図４】
2008002676.tif 000006
【図５】
2008002676.tif 000007
【図６】
2008002676.tif 000008
【図７】
2008002676.tif 000009
【図８】
2008002676.tif 000010
【図９】
2008002676.tif 000011
【図１０】
2008002676.tif 000012
【図１１】
2008002676.tif 000013
【図１２】
2008002676.tif 000014
【図１３】
2008002676.tif 000015